(57)【要約】【課題】回動部が回動自在に軸支された端末装置において、ケース体の着脱の際のスライド動作に連動して前記回動部を回動させるようにする。【解決手段】装置本体（２）と、この装置本体を覆うケース体（３）と、前記装置本体と前記ケース体とを相対的にスライドさせて、前記ケース体を前記装置本体に着脱自在に取り付けるスライド着脱機構部（４、９、１３）と、前記装置本体に軸支された軸を中心に回動する回動部（５）と、前記装置本体に対する前記ケース体の着脱の際のスライド動作と連動して、前記回動部を回動させる回動機構部（６、６１、６２、６３）と、を備え、ケース体の着脱操作と回動部の回動動作とを同時に行うことができるようにした。【選択図】      図１
2005038043.tif 000002
【特許請求の範囲】
【請求項１】
装置本体と、
この装置本体を覆うケース体と、
前記装置本体と前記ケース体とを相対的にスライドさせて、前記ケース体を前記装置本体に着脱自在に取り付けるスライド着脱機構部と、
前記装置本体に軸支された軸を中心に回動する回動部と、
前記装置本体に対する前記ケース体の着脱の際のスライド動作と連動して、前記回動部を回動させる回動機構部と、を備えたことを特徴とする端末装置。
【請求項２】
前記回動機構部は、
前記ケース体の内面に設けられたラックギアと、
前記装置本体の裏面部から突出して設けられ、前記ラックギアと噛合するピニオンギアと、
前記回動部に設けられ、前記ピニオンギアと噛合する回動ギアと、を備えたことを特徴とする請求項１記載の端末装置。
【請求項３】
前記装置本体の前記裏面部から突出して設けられ、前記装置本体を支持する脚部を備え、
前記脚部の前記装置本体からの突出長さは、前記ピニオンギアの前記装置本体からの突出長さよりも長く、且つ、前記ケース体が装着された際の前記装置本体の前記裏面部から前記ケース体の内面までの距離よりも短いことを特徴とする請求項２記載の端末装置。
【請求項４】
前記装置本体の長手側面部に凸部を設け、
前記ケース体の長手内側面部に、前記ケース体の着脱の際のスライド動作によって前記凸部と係合離脱可能な係合溝を設けたことを特徴とする請求項１〜３の何れか一項に記載の端末装置。
【請求項５】
前記ケース体の前記長手内側面部に、前記係合溝を長手方向に所定の間隔で複数設けたことを特徴とする請求項４記載の端末装置。
【請求項６】
前記ケース体の前記長手内側面部に凸部を設け、
前記装置本体の前記長手側面部に、前記ケース体の着脱の際のスライド動作によって前記凸部と係合離脱可能な係合溝を設けたことを特徴とする請求項１〜３の何れか一項に記載の端末装置。
【請求項７】
前記装置本体の前記長手側面部に、前記係合溝を長手方向に所定の間隔で複数設けたことを特徴とする請求項６記載の端末装置。
【請求項８】
前記回動部は、表示部を備えることを特徴とする請求項１〜７の何れか一項に記載の端末装置。
【発明の詳細な説明】
【０００１】
【発明の属する技術分野】
本発明は、回動部が回動自在に軸支された端末装置に関する。
【０００２】
【従来の技術】
近年、電子計算機等の端末装置は、機能性及び携帯性の一層の向上が重要視されている。例えば、ノート型のパーソナルコンピュータのように、表示部（回動部）が回動自在に設けられている端末装置が知られている（例えば、特許文献１）。
【０００３】
特許文献１記載の端末装置は、表示部がヒンジ部を介して装置本体に回動自在に軸支されており、使用時には表示部を傾斜させて、不使用時には表示部を倒伏させる構成になっている。表示部を傾斜又は倒伏させるためには、傾斜又は倒伏させる方向に手動で回動させる。
また、装置本体を保護するためのケース体と装置本体とを相対的にスライドさせて、ケース体を装置本体に着脱自在に取り付けるようにした端末装置も知られている（例えば、特許文献２）。
【０００４】
【特許文献１】
特開２００２−２８７８７２号公報
【特許文献２】
特開２０００−３１５１９４号公報
【０００５】
【発明が解決しようとする課題】
ところで、上記特許文献１に記載された端末装置に、上記特許文献２に記載された装置本体を保護するケース体を取り付けると、ケース体を装置本体に取り付ける動作と、手動により表示部を傾斜又は倒伏させる動作とが必要となるため、操作が煩雑になる。
また、手動により表示部を傾斜又は倒伏させる機構の場合、表示部が何かに触れると傾斜角度が変わってしまうという問題点もあった。
【０００６】
そこで本発明の課題は、回動部が回動自在に軸支された端末装置において、操作性を損なうことなくケース体を装置本体に着脱できるようにすることである。
【０００７】
【課題を解決するための手段】
上記課題を解決するために、請求項１記載の発明は、例えば図１、２に示すように、
装置本体（２）と、
この装置本体を覆うケース体（３）と、
前記装置本体と前記ケース体とを相対的にスライドさせて、前記ケース体を前記装置本体に着脱自在に取り付けるスライド着脱機構部（４）と、
前記装置本体に軸支された軸を中心に回動する回動部（例えば、表示部５）と、
前記装置本体に対する前記ケース体の着脱の際のスライド動作と連動して、前記回動部を回動させる回動機構部（６）と、を備えたことを特徴とする。
【０００８】
請求項１記載の発明によれば、装置本体に対するケース体の着脱時のスライド動作と連動して回動部を回動させることができるので、ケース体の着脱動作と回動部の回動動作とを同時に行うことができることとなって、操作性を損なうことなく、ケース体を装置本体に着脱できる。
【０００９】
請求項２記載の発明は、請求項１記載の端末装置において、
前記回動機構部は、
前記ケース体の内面に設けられたラックギア（６１）と、
前記装置本体の裏面部から突出して設けられ、前記ラックギアと噛合するピニオンギア（６２）と、
前記回動部に設けられ、前記ピニオンギアと噛合する回動ギア（６３）と、を備えたことを特徴とする。
【００１０】
請求項２記載の発明によれば、請求項１記載の発明と同様の効果が得られるのは無論のこと、特に、ラックギアとピニオンギアと回動ギアとを噛合させることによって回動部を回動させる構成であるので、回動機構部を簡単な機構とすることができる。
【００１１】
請求項３記載の発明は、請求項２記載の端末装置において、
前記装置本体の前記裏面部から突出して設けられ、前記装置本体を支持する脚部（７）を備え、
前記脚部の前記装置本体からの突出長さは、前記ピニオンギアの前記装置本体からの突出長さよりも長く、且つ、前記ケース体が装着された際の前記装置本体の前記裏面部から前記ケース体の内面までの距離よりも短いことを特徴とする。
【００１２】
請求項３記載の発明によれば、請求項２記載の発明と同様の効果が得られるのは無論のこと、特に、ケース体を装置本体から外したときにはピニオンギアが妨げになることなく脚部で装置本体を支持できる。また、ケース体を装置本体の裏面部側に装着させる際のスライド動作において、脚部が妨げになることがない。
【００１３】
請求項４記載の発明は、請求項１〜３の何れか一項に記載の端末装置において、
前記装置本体の長手側面部に凸部（１０）を設け、
前記ケース体の長手内側面部に、前記ケース体の着脱の際のスライド動作によって前記凸部と係合離脱可能な係合溝（例えば、第一係合溝１４ａ、第二係合溝１４ｂ、第三係合溝１４ｃ）を設けたことを特徴とする。
【００１４】
請求項４記載の発明によれば、請求項１〜３の何れか一項に記載の発明と同様の効果が得られるのは無論のこと、特に、装置本体の長手側面部に設けられた凸部がケース体の長手内側面部に設けられた係合溝に係合することによって、回動部の回動を一時的にロックすることができる。従って、回動部の傾斜状態を維持でき、傾斜した回動部に外力が加えられたとしても、その傾斜状態が容易に変化することはない。
【００１５】
請求項５記載の発明は、請求項４記載の端末装置において、
前記ケース体の前記長手内側面部に、前記係合溝を長手方向に所定の間隔で複数設けたことを特徴とする。
【００１６】
請求項５記載の発明によれば、請求項４記載の発明と同様の効果が得られるのは無論のこと、特に、ケース体の長手内側面部に係合溝を長手方向に所定の間隔で複数設けることによって、回動部の傾斜角度を段階的に容易に調節できる。
【００１７】
請求項６記載の発明は、請求項１〜３の何れか一項に記載の端末装置において、
前記ケース体の前記長手内側面部に凸部（１０´）を設け、
前記装置本体の前記長手側面部に、前記ケース体の着脱の際のスライド動作によって前記凸部と係合離脱可能な係合溝（例えば、第一係合溝１４´ａ、第二係合溝１４´ｂ、第三係合溝１４´ｃ）を設けたことを特徴とする。
【００１８】
請求項６記載の発明によれば、請求項１〜３の何れか一項に記載の発明と同様の効果が得られるのは無論のこと、特に、ケース体の長手内側面部に設けられた凸部が、装置本体の長手側面部に設けられている係合溝に係合することによって、回動部の回動を一時的にロックすることができる。従って、回動部の傾斜状態を維持でき、傾斜した回動部に外力が加えられたとしても、その傾斜状態は容易に変化することはない。
【００１９】
請求項７記載の発明は、請求項６記載の端末装置において、
前記装置本体の長手側面部に、前記係合溝を長手方向に所定の間隔で複数設けたことを特徴とする。
【００２０】
請求項７記載の発明によれば、請求項６記載の発明と同様の効果が得られるのは無論のこと、特に、装置本体の長手側面部に係合溝を長手方向に所定の間隔で複数設けることによって、回動部の傾斜角度を段階的に容易に調節できる。
【００２１】
請求項８記載の発明は、請求項１〜７の何れか一項に記載の端末装置において、
前記回動部は、表示部（５）を備えることを特徴とする。
【００２２】
請求項８記載の発明によれば、請求項１〜７記載の何れか一項に記載の発明と同様の効果が得られるのは無論のこと、特に、回動部は表示部を備えることによって、装置本体に対するケース体の着脱の際のスライド動作と連動して表示部が傾斜するので、表示部の表示が見やすくなる。
【００２３】
【発明の実施の形態】
以下、図を参照して本発明の実施の形態について詳細に説明する。
図１は、本発明に係る端末装置の平面図、図２は図１の端末装置のＩＩ−ＩＩ部断面図、図３は、本発明に係る端末装置を構成するケース体の斜視図、図４は、図１の端末装置のＩＶ−ＩＶ部断面図、図５は、図１の端末装置における凸部と係合溝との関係を示す断面模式図である。
【００２４】
図１、２に示すように、本発明に係る端末装置１は、装置本体２と、この装置本体２に着脱自在なケース体３と、ケース体３を装置本体２に着脱自在に取り付けるスライド着脱機構部４と、装置本体２に軸支されている回動部としての表示部５と、表示部５を回動させる回動機構部６と、装置本体２の裏面部２ｃに設けられた脚部７等から構成されている。
【００２５】
装置本体２は、図１、２、４に示すように、平面視略矩形状に形成され、その操作面部２ａからは、装置本体２内部の基盤８ａ上に配置されたキー入力部８が突出して設けられている。装置本体２の長手側面部２ｂには、長手方向に延在して装置本体２のスライド動作を可能にするレール９と、表示部５の回動を一時的にロックするための先端部が球面状に形成された凸部１０が各々所定の位置に設けられている。
【００２６】
ケース体３は、図３に示すように、略矩形状の基板部１１と、基板部１１の一つの短辺を除く３辺の周縁に立設されている側板部１２ａ、１２ｂ等から構成されている。側板部１２ａはケース体３の長手方向に沿って設けられ、側板部１２ｂはケース体３の短手方向に沿って設けられている。側板部１２ａの長手内側面部１２１ａには、長手方向に延在して装置本体２のレール９と係合する案内溝１３が設けられているとともに、装置本体２の凸部１０に係合する係合溝１４（第一係合溝１４ａ、第二係合溝１４ｂ、第三係合溝１４ｃ）が長手方向に所定の間隔で設けられている。
【００２７】
スライド着脱機構部４は、装置本体２のレール９とケース体３の案内溝１３とにより構成される。そして、装置本体２とケース体３とを近づく方向に相対的にスライドさせることにより案内溝１３にレール９を係合させてケース体３を装置本体２に装着させたり、また、ケース体３と装置本体２とを離れる方向に相対的にスライドさせることにより案内溝１３からレール９を離脱させてケース体３を装置本体２から外すことができるようになっている。
【００２８】
係合溝１４は、図５に示すように、断面略弧状に形成されている。また、係合溝１４に隣接して、側板部１２ａの長手内側面部１２１ａよりも突出した山部１４１が設けられている。係合溝１４の曲率半径は、凸部１０の先端部の球面の曲率半径より大きく形成されており、凸部１０が係合溝１４に係合できるようになっている。また、係合溝１４から山部１４１へかけての傾斜角度は浅く形成されており、凸部１０が係合溝１４から山部１４１又は山部１４１から係合溝１４への移動が円滑にでき、係合溝１４からの係合離脱が容易な構成となっている。
即ち、装置本体２とケース体３とを相対的にスライド動作させると、凸部１０は山部１４１に接しながら第一係合溝１４ａ〜第三係合溝１４ｃに係合され、一時的に位置決めがなされる。位置決めがなされた後、さらに装置本体２又はケース体３のスライド方向に力を加えると、係合溝１４に係合されている凸部１０を円滑に山部１４１へ移動させることができるようになっている。
【００２９】
凸部１０の長さは、装置本体２の長手側面部２ｂからケース体３の側板部１２ａの長手内側面部１２１ａまでの距離よりも短くなるように設計されている。従って、凸部１０がケース体３の長手内側面部１２１ａに接しないので、凸部１０が係合溝１４と係合離脱する前後は凸部１０が円滑に移動できるため、装置本体２及びケース体３をより容易にスライド移動させることができるようになっている。
【００３０】
そして、装置本体２をケース体３の係合溝１４側にスライドさせると、そのスライド動作の過程で、凸部１０が第一係合溝１４ａ、第二係合溝１４ｂ、第三係合溝１４ｃに順次係合することとなって、その都度ケース体３の位置が規定され、一時的にロックできるようになっている。
表示部５は、ヒンジ部１５を介して装置本体２に軸支されており、ヒンジ部１５を軸にして回動可能になっている。
【００３１】
回動機構部６は、図４に示すように、ケース体３の基板部１１の側板部１２ａが立設する面（内面）に設けられたラックギア６１と、装置本体２の裏面部２ｃから突出して設けられ、ラックギア６１と噛合するピニオンギア６２と、表示部５の裏面に設けられ、ピニオンギア６２と噛合する回動ギア６３とから構成されている。
この回動機構部６は、ラックギア６１が直線運動すると、このラックギア６１と噛合するピニオンギア６２が回動し、さらにピニオンギア６２と噛合する回動ギア６３が回動することにより、回動ギア６３に固定された表示部５が回動するようになっている。即ち、装置本体２に対するケース体３の着脱の際のスライド動作と連動して、表示部５が回動する。
【００３２】
表示部５が回動すると、表示部５が傾斜状態となる。表示部５の傾斜角度は、装置本体２の凸部１０を係合させる係合溝１４によって、段階的に調節可能な構成となっている。即ち、凸部１０を第一係合溝１４ａ、第二係合溝１４ｂ、第三係合溝１４ｃに係合する順に表示部５の傾斜角度は大きくなり、使用者の所望の傾斜状態に調節できるようになっている。
【００３３】
脚部７は、装置本体２のピニオンギア６２が突出する面、即ち、裏面部２ｃから突出して設けられている。
脚部７の装置本体２からの突出長さは、ピニオンギア６２の装置本体２からの突出長さよりも長く、且つ、ピニオンギア６２の装置本体２からケース体３が装着された際の内面までの距離よりも短く設計されている。
従って、図４に示すように、ケース体３が装置本体２の裏面部２ｃ側に着脱される際には、装置本体２のスライド動作の妨げとならないように構成されている。また、ケース体３がない場合には、脚部７はピニオンギア６２に妨げられることなく装置本体２を支持できるようになっている。
【００３４】
次に、上述のように構成されている端末装置１のケース体３の着脱動作および表示部５の回動動作について、図４〜１３を用いて説明する。
端末装置１を使用するときには、装置本体２の裏面部２ｃ側にケース体３を装着させる。
まず、装置本体２の裏面部２ｃとケース体３の基板部１１とが向かい合うようにして、装置本体２のレール９をケース体３の案内溝１３に係合させて、装置本体２とケース体３とを近づく方向に相対的にスライドさせる。すると、図４に示す状態となる。このとき、図５に示すように、装置本体２の凸部１０と、ケース体３の係合溝１４とは係合しておらず、表示部５は倒伏したままの状態となっている。
次いで、さらに装置本体２とケース体３とを近づく方向に相対的にスライドさせる。この際、脚部７が装置本体２又はケース体３のスライド動作を妨げることはない。
【００３５】
このスライド動作と連動して、ケース体３のラックギア６１に噛合するピニオンギア６２が反時計回り方向に回動する。すると、回動しているピニオンギア６２と噛合する回動ギア６３が時計回り方向に回動することによって、表示部５がヒンジ部１５を軸に時計回り方向に回動して傾斜する。
そして、スライド動作の途中で、第一係合溝１４ａに凸部１０が係合すると、スライド動作に抵抗力が作用する。図６、７に示すように、第一係合溝１４ａに凸部１０が係合した第一の傾斜状態に維持され、表示部５の回動が一時的にロックされる。
【００３６】
この第一の傾斜状態の装置本体２又はケース体３に、第二係合溝１４ｂの方向に所定の力以上の力を加えると、第一係合溝１４ａに係合された凸部１０が第一係合溝１４ａの表面と接しながら、第二係合溝１４ｂ側の山部１４１に到達することにより第一係合溝１４ａから離脱する。
そして、第一の傾斜状態からさらに装置本体２とケース体３とを近づく方向に相対的にスライドさせると、表示部５はさらに時計回り方向に回動するとともに、凸部１０が第二係合溝１４ｂに係合する。
すると、図８、９に示すように、スライド動作に抵抗力が作用して第二係合溝１４ｂに凸部１０が係合した第二の傾斜状態に維持され、表示部５の回動がロックされる。
【００３７】
この第二の傾斜状態の装置本体２又はケース体３に、第三係合溝１４ｃの方向に所定の力以上の力を加えると、第二係合溝１４ｂに係合された凸部１０が第二係合溝１４ｂの表面と接しながら、第三係合溝１４ｃ側の山部１４１に到達することにより第二係合溝１４ｂから離脱する。
そして、さらに第二の傾斜状態からさらに装置本体２又はケース体３を近づく方向に相対的にスライドさせると、表示部５はさらに時計回り方向に回動するとともに、凸部１０が第三係合溝１４ｃに係合する。
すると、図１０、１１に示すようにスライド動作に抵抗力が作用して第三係合溝１４ｃに凸部１０が係合した第三の傾斜状態に維持され、表示部５の回動がロックされる。
【００３８】
上述のように、表示部５は、第一の傾斜状態（図６）、第二の傾斜状態（図８）、第三の傾斜状態（図１０）の順にその傾斜角度が大きくなるので、使用者の所望の傾斜状態に調節して端末装置１を使用することができる。
【００３９】
端末装置１の使用後は、装置本体２とケース体３とを離れる方向に相対的にスライドさせて、凸部１０と係合溝１４との係合を離脱させ、ケース体３を取り出す。この際、スライド動作と連動して、ケース体３の基板部１１上のラックギア６１と噛合するピニオンギア６２が時計回り方向に回動する。次いで、回動したピニオンギア６２と噛合する回動ギア６３が反時計回り方向に回動することによって、表示部５がヒンジ部１５を軸に反時計回り方向に回動して倒伏する。
【００４０】
そして、ケース体３から装置本体２を外した後は、図１２に示すように、装置本体２の操作面部２ａと、ケース体３の基板部１１とを向かい合うようにして装置本体２とケース体３とをスライド動作によって装置本体２の操作面部２ａ側にケース体３を装着させる。装置本体２の操作面部２ａ側にケース体３を装着することによって、表示部５やキー入力部８の誤操作を防いだり、外部からの衝撃を緩和することができる。
【００４１】
（変形例）
図１３は、図１の端末装置１の変形例を示す平面図である。図１３に示す端末装置１００には、ケース体３の基板部１１上の両側に２つのラックギア（図示省略）又は基板部１１上の短手方向に延在するラックギア（図示省略）と、該ラックギアに噛合して、装置本体２の裏面部２ｃから突出する２つのピニオンギア６２、６２と、そのピニオンギア６２、６２と噛合して、表示部５の両側に位置する２つの回動ギア５３、５３とが設けられている。上記構成では、ギアを複数設けることによって表示部５の傾斜状態をより安定して維持できるので、表示部５が大きい場合等に好適である。
【００４２】
以上説明した本発明に係る端末装置１によれば、ケース体３を装置本体２の裏面部２ｃ側へ着脱する際のスライド動作と連動して、表示部５が回動するので、ケース体３の着脱動作と表示部５の回動動作とを同時に行うことができることとなって、表示部５を手動で回動させる必要がなく、操作性を損なうことなく、ケース体３を装置本体２に着脱できる。
ケース体３は、装置本体２の凸部１０とケース体３の第一係合溝１４ａ〜第三係合溝１４ｃとの係合によって装着されるので、表示部５の回動を一時的にロックすることができる。従って、表示部５の傾斜状態を維持でき、傾斜した表示部５に外力が加えられたとしても、表示部５の傾斜状態は容易に変化することがない。
また、装置本体２の凸部１０を、ケース体３に設けられている第一係合溝１４ａ〜第三係合溝１４ｃと係合させて装着することによって、表示部５の傾斜を段階的に容易に調節することができる。従って、表示部５の表示をより見やすくすることができる。
そして、装置本体２の裏面部２ｃ側に装着されたケース体３をスライドさせて取り出す際には、そのスライド動作と連動して、表示部５が回動して倒伏した状態に戻るので、操作終了時にも表示部５を手動で倒伏させる必要がない。
【００４３】
なお、本発明は上述の実施形態に限定されるものではない。上記実施例では、回動部としての表示部５を回動させて傾斜させているが、例えば、回動部にキー入力部８を備え、キー入力部８を傾斜させるような構成にしてもよいのは勿論のこと、他の構成部材を傾斜させる構成にしてもよい。
【００４４】
また、表示部５の傾斜状態を維持するための凸部１０を装置本体２に、第一係合溝１４ａ〜第三係合溝１４ｃをケース体３の側板部１２ａの内側面部１２１ａに設けているが、図１４に示すように、この側板部１２ａの内側面部１２１ａに凸部１０´を、装置本体２の長手側面部２ｂに係合溝１４´を設けてもよい。この場合にも、例えば第一係合溝１４´ａ〜第三係合溝１４´ｃを所定の間隔で設けたり、さらに第一係合溝１４´ａ〜第三係合溝１４´ｃの間隔を変えることによって、表示部５を所望の傾斜状態に維持させることができるのはいうまでもない。
【００４５】
上記実施例では装置本体２の凸部１０とケース体３の第一係合溝１４ａ〜第三係合溝１４ｃとの係合によって表示部５の傾斜を段階的に調節できるように構成しているが、これに限定されるものでもない。例えば、装置本体２に設けられる凸部を装置本体２から出没自在に構成して、該凸部を貫通させ係合させる係合孔（第一係合孔〜第三係合孔）をケース体３の側板部１２ａに長手方向に所定の間隔で設ける。そして、装置本体２にケース体３を装着する際は、該凸部を例えば第一係合孔に突出させて係合させる。そして、表示部５の傾斜角度を変えたい場合には、突出している該凸部を引っ込めて、第一係合孔との係合を解除して、第二係合孔に係合させることによって傾斜状態を変える構成としてもよい。上記構成においても、該凸部はケース体３の側板部１２ａの内側面部１２１ａに、係合孔は装置本体２の長手側面部２ｂに各々設けられていてもよい。
【００４６】
【発明の効果】
請求項１記載の発明によれば、装置本体に対するケース体の着脱時のスライド動作と連動して回動部を回動させることができるので、ケース体の着脱操作と回動部の回動動作とを同時に行うことができることとなって、操作性を損なうことなく、ケース体を装置本体に着脱できる。
【００４７】
請求項２記載の発明によれば、請求項１記載の発明と同様の効果が得られるのは無論のこと、特に、ラックギアとピニオンギアと回動ギアとを噛合させることによって回動部を回動させる構成であるので、回動機構部を簡単な機構とすることができる。
【００４８】
請求項３記載の発明によれば、請求項２記載の発明と同様の効果が得られるのは無論のこと、特に、ケース体を装置本体から外したときには、ピニオンギアが妨げになることなく脚部で装置本体を支持できる。また、ケース体を装置本体の裏面部側に着脱させる際のスライド動作において、脚部が妨げになることがない。
【００４９】
請求項４記載の発明によれば、請求項１〜３の何れか一項に記載の発明と同様の効果が得られるのは無論のこと、特に、装置本体の長手側面部に設けられた凸部がケース体の長手内側面部に設けられた係合溝に係合することによって、回動部の回動を一時的にロックすることができる。従って、回動部の傾斜状態を維持できるので、傾斜した回動部に外力が加えられたとしても、その傾斜状態は容易に変化することはない。
【００５０】
請求項５記載の発明によれば、請求項４記載の発明と同様の効果が得られるのは無論のこと、特に、ケース体の内側面部１２１ａに係合溝を長手方向に所定の間隔で複数設けることによって、回動部の傾斜角度を段階的に容易に調節できる。
【００５１】
請求項６記載の発明によれば、請求項１〜３の何れか一項に記載の発明と同様の効果が得られるのは無論のこと、特に、ケース体の長手内側面部に設けられた凸部が装置本体の長手側面部に設けられた係合溝に係合することによって、回動部の回動を一時的にロックすることができる。従って、回動部の傾斜状態を維持でき、傾斜した回動部に外力が加えられたとしても、その傾斜状態は容易に変化することはない。
【００５２】
請求項７記載の発明によれば、請求項６記載の発明と同様の効果が得られるのは無論のこと、特に、装置本体の長手側面部に係合溝を長手方向に所定の間隔で複数設けることによって、回動部の傾斜角度を段階的に容易に調節できる。
【００５３】
請求項８記載の発明によれば、請求項１〜７記載の何れか一項に記載の発明と同様の効果が得られるのは無論のこと、特に、回動部は表示部を備えることによって、装置本体に対するケース体の着脱の際のスライド動作と連動して表示部が傾斜するので、表示部の表示が見やすくなる。
【図面の簡単な説明】
【図１】本発明に係る端末装置の平面図である。
【図２】図１の端末装置のＩＩ−ＩＩ部断面図である。
【図３】本発明に係る端末装置を構成するケース体の斜視図である。
【図４】図１の端末装置のＩＶ−ＩＶ部断面図である。
【図５】図１の端末装置における凸部と係合溝との関係を示す断面模式図である。
【図６】図１の端末装置における回動部の第一の傾斜状態を示す断面側面図である。
【図７】図６の端末装置における凸部と第一係合溝との関係を示す断面模式図である。
【図８】図１の端末装置における回動部の第二の傾斜状態を示す断面側面図である。
【図９】図８の端末装置における凸部と第二係合溝との関係を示す断面模式図である。
【図１０】図１の端末装置の回動部の第三の傾斜状態を示す断面側面図である。
【図１１】図１０の端末装置における凸部と第三係合溝との関係を示す断面模式図である。
【図１２】本発明に係る端末装置の不使用時における断面側面図である。
【図１３】図１の端末装置の変形例を示す平面図である。
【図１４】図１の端末装置の変形例における凸部と係合溝との関係を示す断面模式図である。
【符号の説明】
１  端末装置
２  装置本体
２ｂ  長手側面部
２ｃ  裏面部
３  ケース体
４  スライド着脱機構部
５  表示部（回動部）
６  回動機構部
７  脚部
９  レール（スライド着脱機構部）
１０  凸部
１３  案内溝（スライド着脱機構部）
１４  係合溝
１４ａ  第一係合溝（係合溝）
１４ｂ  第二係合溝（係合溝）
１４ｃ  第三係合溝（係合溝）
６１  ラックギア（回動機構部）
６２  ピニオンギア（回動機構部）
６３  回動ギア（回動機構部）
１２１ａ  長手内側面部
【図１】
2005038043.tif 000003
【図２】
2005038043.tif 000004
【図３】
2005038043.tif 000005
【図４】
2005038043.tif 000006
【図５】
2005038043.tif 000007
【図６】
2005038043.tif 000008
【図７】
2005038043.tif 000009
【図８】
2005038043.tif 000010
【図９】
2005038043.tif 000011
【図１０】
2005038043.tif 000012
【図１１】
2005038043.tif 000013
【図１２】
2005038043.tif 000014
【図１３】
2005038043.tif 000015
【図１４】
2005038043.tif 000016